(57)【要約】【課題】ナイトカバーの設置・収納の作業性が高いオープンショーケースを提供する。【解決手段】少なくとも前面が開放されたケース本体２１を構成する外ケース２２と内ケース２３との間に蒸発器４１と送風機４２とを収容してなる冷気循環通路２６と、内ケース２３に陳列棚２５，２５，２５を配設してなる保冷室２と、を備え、冷気循環通路２６の上部の吹出口２７から下部の吸込口２８に向かって吹き出される冷気により陳列棚２５，２５，２５の前方にエアカーテンを形成し、保冷室２内を保冷するようにしたオープンショーケース１であって、シート部材５２を有するナイトカバー５０が吸込口２８の近傍に設けられ、上方に向けて引き出されたシート部材５２の上端部を保持可能な保持部６１がケース本体２１の上部前端よりも前方に離間して配置される。【選択図】図３
2018117978.tif 000002
【特許請求の範囲】
【請求項１】
少なくとも前面が開放されたケース本体を構成する外ケースと内ケースとの間に蒸発器と送風機とを収容してなる冷気循環通路と、前記内ケースに陳列棚を配設してなる保冷室と、を備え、前記冷気循環通路の上部の吹出口から下部の吸込口に向かって吹き出される冷気により前記陳列棚の前方にエアカーテンを形成し、前記保冷室内を保冷するようにしたオープンショーケースであって、
シート部材を有するナイトカバーが前記吸込口の近傍に設けられ、上方に向けて引き出された前記シート部材の上端部を保持可能な保持部が前記ケース本体の上部前端よりも前方に離間して配置されることを特徴とするオープンショーケース。
【請求項２】
前記シート部材の上端部と前記ケース本体の上部前端との間に上方に開放する空間が形成されていることを特徴とする請求項１に記載のオープンショーケース。
【請求項３】
前記シート部材は、前記ナイトカバーから略垂直に引き出されることを特徴とする請求項１または２に記載のオープンショーケース。
【請求項４】
前記ケース本体は、少なくとも前面と一側面が開放されていることを特徴とする請求項１ないし３のいずれかに記載のオープンショーケース。
【請求項５】
前記保持部は、前記吸込口の近傍から起立する係止部材の上部に設けられる係止部であることを特徴とする請求項１ないし４のいずれかに記載のオープンショーケース。
【請求項６】
前記係止部材は、その基部が前記吸込口側に左右方向に回動可能に取付けられていることを特徴とする請求項１ないし５のいずれかに記載のオープンショーケース。
【請求項７】
前記保持部は、前記シート部材の先端部から垂下する係止部材の下部に設けられる係止部であることを特徴とする請求項１ないし４のいずれかに記載のオープンショーケース。
【請求項８】
前記係止部材は、立設位置の状態で、前記吸込口よりも上方位置かつ前記係止部とは異なる位置で他の部材に前後方向に磁力により固定されることを特徴とする請求項５ないし７のいずれかに記載のオープンショーケース。
【発明の詳細な説明】
【技術分野】
【０００１】
本発明は、店舗の非営業時間においてオープンショーケースの開口部を覆うナイトカバーを備えるオープンショーケースに関する。
【背景技術】
【０００２】
オープンショーケースは、スーパーマーケット、コンビニエンスストア、デパート等の食品売場等に設置され、日配食品、生鮮食料品等の商品を陳列するために用いられる。このようなオープンショーケースは、例えば、前面開口部を有する外ケースと内ケースとからなるケース本体と、外ケースと内ケースとの間に形成される冷気循環通路と、該冷気循環通路内に収容される蒸発器及び送風機と、内ケースに商品陳列棚を配設して構成される保冷室と、を備え、保冷室の上部に設けられた冷気循環通路の吹出口から保冷室の下部に設けられた冷気循環通路の吸込口に向けて吹き出される冷気によって商品陳列棚の前方にエアカーテンが形成されることにより、保冷室内の商品を保冷できるようになっている。
【０００３】
このようなオープンショーケースは、夜間等の非営業時間においても保冷室内の商品を保冷する必要があるが、営業時間と同様にケース本体の前面開口部を開放した状態にしていると保冷室内の冷気が外部に漏れ出しやすく、保冷室内の冷却効率が悪い。そのため、例えば特許文献１に開示されているオープンショーケースのように、外ケースの上部前端に設けられるキャノピ部に自動巻き取り式のナイトカバーを取付け、ナイトカバーを構成するシート部材をキャノピ部からケース本体の前面開口部側に引き下ろし、シート部材の先端に取付けられるフックをケース本体の下部の前壁上縁に設けられる係止部に係止することにより、ケース本体の前面開口部を全面に亘ってシート部材で覆い、保冷室内の冷気の漏れ出しを抑えられるようにしたものがある。
【０００４】
このようなナイトカバーのシート部材は、ケース本体の前面開口部を覆う際に、特に上方に配設された商品陳列棚に陳列される商品や販売促進用の各種ＰＯＰ広告（以下、ＰＯＰと記載する）に接触することがあり、ナイトカバーの設置・収納を行う度に商品やＰＯＰの配置等を調整する必要がある。一方、商品陳列棚に陳列される商品やＰＯＰに対するシート部材の接触を防ぐものも提案されている。特許文献２に開示されているショーケース（オープンショーケース）は、保冷室の下部に設けられる吸込口下側の空間に自動巻き取り式のナイトカバーが取付けられ、かつショーケースの背部に支持部材が取付けられており、ナイトカバーを設置する際には、支持部材をケース本体の上部の天板よりも前方まで引き出しておき、シート部材の先端に取付けられる把手を把持して吸込口下側の空間からケース本体の前面開口部側に引き上げ、支持部材によりシート部材の上部背面側を天板よりも前方の位置に当接支持させた状態で、シート部材の先端を天板の後方まで引き出し、シート部材の把手を天板の後端部に設けられる係止部に係止することにより、ケース本体の前面開口部を全面に亘ってシート部材で覆っている。
【先行技術文献】
【特許文献】
【０００５】
【特許文献１】特許第４７７４８３０号公報（第３頁、第３図）
【特許文献２】特許第３８２５６０９号公報（第３頁、第１図）
【発明の概要】
【発明が解決しようとする課題】
【０００６】
しかしながら、特許文献２にあっては、シート部材を天板よりも前方の位置に支持するための支持部材をショーケースの背部に設けられる収納部から引き出した上で、シート部材の把手を天板の後端部に設けられる係止部に係止させる必要があるため、手が届き難いショーケースの背部や天板の後端部に対してアクセスしなければならず、ナイトカバーの設置・収納の作業性が悪くなるという問題があった。
【０００７】
本発明は、このような問題点に着目してなされたもので、ナイトカバーの設置・収納の作業性が高いオープンショーケースを提供することを目的とする。
【課題を解決するための手段】
【０００８】
前記課題を解決するために、本発明のオープンショーケースは、
少なくとも前面が開放されたケース本体を構成する外ケースと内ケースとの間に蒸発器と送風機とを収容してなる冷気循環通路と、前記内ケースに陳列棚を配設してなる保冷室と、を備え、前記冷気循環通路の上部の吹出口から下部の吸込口に向かって吹き出される冷気により前記陳列棚の前方にエアカーテンを形成し、前記保冷室内を保冷するようにしたオープンショーケースであって、
シート部材を有するナイトカバーが前記吸込口の近傍に設けられ、上方に向けて引き出された前記シート部材の上端部を保持可能な保持部が前記ケース本体の上部前端よりも前方に離間して配置されることを特徴としている。
この特徴によれば、ケース本体の上部前端よりも前方に離間する位置でシート部材の上端部が保持されるため、保冷室の陳列棚に陳列される商品やＰＯＰにシート部材が接触しないように前後方向の間隔が確保され、かつシート部材の出し入れや保持部による保持をオープンショーケースの前面側で行うことができるため、ナイトカバーの設置・収納の作業性を高めることができる。
【０００９】
前記シート部材の上端部と前記ケース本体の上部前端との間に上方に開放する空間が形成されていることを特徴としている。
この特徴によれば、前後方向に離間するシート部材の上端部とケース本体の上部前端との間に形成される上方に開放する空間を利用してシート部材の上端部を係止部に対して容易に係脱することができるため、ナイトカバーの設置・収納の作業性をより高めることができる。
【００１０】
前記シート部材は、前記ナイトカバーから略垂直に引き出されることを特徴としている。
この特徴によれば、シート部材を略垂直方向に出し入れ操作することにより、オープンショーケースの前面側からナイトカバーの設置・収納を容易に行うことができる。また、ナイトカバーを左右方向に複数並設する場合、シート部材の側端部の位置合わせを行いやすく、前後方向のずれが生じ難くなるため、冷気の漏れ出しを抑えることができる。
【００１１】
前記ケース本体は、少なくとも前面と一側面が開放されていることを特徴としている。
この特徴によれば、ケース本体の前面と一側面の開放部分によりコーナ部が構成されるオープンショーケースにおいて、ケース本体の前面と一側面にそれぞれ設けられるナイトカバーの隣接するシート部材の側端部同士を接触させることなく近接させた状態で引き出すことができるため、冷気の漏れ出しを抑えることができる。
【００１２】
前記保持部は、前記吸込口の近傍から起立する係止部材の上部に設けられる係止部であることを特徴としている。
この特徴によれば、ナイトカバーが設けられる吸込口の近傍から起立する係止部材の上部に設けられる係止部に略垂直に引き出された状態のシート部材が係止されることにより、係止されるシート部材の荷重が係止部材を略延伸方向に圧縮する方向にかかるため、シート部材の支持強度を高めることができる。
【００１３】
前記係止部材は、その基部が前記吸込口側に左右方向に回動可能に取付けられていることを特徴としている。
この特徴によれば、係止部材を基部から左右方向に回動させて吸込口の近傍で横倒しにして収納できるため、保冷室から商品を出し入れする際に邪魔にならない。また、ナイトカバーの設置時には、吸込口の近傍で横倒しにして収納された係止部材を基部から左右方向に回動させて立設できるため、係止部材の立設・収納を容易に行うことができ、ナイトカバーの設置・収納の作業性を高めることができる。
【００１４】
前記保持部は、前記シート部材の先端部から垂下する係止部材の下部に設けられる係止部であることを特徴としている。
この特徴によれば、シート部材の先端部から垂下する係止部材の下部に設けられる係止部によって係止部材が立設され、略垂直に引き出された状態でシート部材が保持されることにより、保持されるシート部材の荷重が係止部材を略延伸方向に圧縮する方向にかかるため、シート部材の支持強度を高めることができる。
【００１５】
前記係止部材は、立設位置の状態で、前記吸込口よりも上方位置かつ前記係止部とは異なる位置で他の部材に前後方向に磁力により固定されることを特徴としている。
この特徴によれば、係止部材は、立設位置の状態で、係止部とは異なる位置で磁力により固定されるため、立設位置の状態が安定する。
【図面の簡単な説明】
【００１６】
【図１】実施例１におけるオープンショーケースを示す斜視図である。
【図２】実施例１におけるオープンショーケースのナイトカバーの収納状態を示す側面視の断面図である。
【図３】実施例１におけるオープンショーケースのナイトカバーの設置状態を示す側面視の断面図である。
【図４】（ａ）は、ナイトカバーの設置状態を示す正面図、（ｂ）は、保護フェンスの構造を示す正面図、（ｃ）は、ナイトカバーの設置状態を示す側面視の断面図である。
【図５】（ａ）〜（ｃ）は、係止部材を収納位置から立設位置に変更する際の回動機構における操作手順を示す部分拡大背面図であり、（ｄ）は、（ｃ）の状態の回動機構を示す側面視の部分断面図である。
【図６】変形例におけるオープンショーケースを示す斜視図である。
【図７】実施例２におけるオープンショーケースを示す斜視図である。
【図８】実施例２におけるオープンショーケースのナイトカバーの設置状態を示す側面視の断面図である。
【図９】（ａ）は、実施例２におけるナイトカバーの設置状態を示す正面図、（ｂ）は、同じくナイトカバーの設置状態を示す側面視の断面図である。
【図１０】（ａ）〜（ｃ）は、実施例２における係止部材を収納位置から立設位置に変更する際の操作手順を示す正面図である。
【図１１】実施例３におけるオープンショーケースを示す斜視図である。
【図１２】実施例３におけるオープンショーケースを示す側面視の断面図である。
【発明を実施するための形態】
【００１７】
本発明に係るオープンショーケースを実施するための形態を実施例に基づいて以下に説明する。
【実施例１】
【００１８】
実施例１に係るオープンショーケースにつき、図１から図５を参照して説明する。以下、図２の紙面左側をオープンショーケースの正面側（前方側）とし、その前方側から見たときの上下左右方向を基準として説明する。
【００１９】
本実施例のオープンショーケース１は、スーパーマーケット、コンビニエンスストア等において食品等の商品を保冷した状態で陳列するために設置される。図１に示されるように、オープンショーケース１は、上方に設けられ商品（図示略）が冷却・収納されるケース本体２１と、該ケース本体２１の下方に設けられる基台３と、から主に構成され、後述する冷気循環通路２６に収容される後述する蒸発器４１及び送風機４２（図２参照）とオープンショーケース１の外部に別途設けられる図示しない冷凍機ユニット（圧縮機、凝縮器、送風機等）とを冷媒配管により接続して構成される冷凍サイクルが行われることにより、ケース本体２１内に画成される保冷室２内を冷却可能な別置型のショーケースである。
【００２０】
図２に示されるように、オープンショーケース１は、前面側が開放された略コ字形を成す断熱構造の外ケース２２と、その内方において同じく前面側が開放された略コ字形の内ケース２３と、から構成されるケース本体２１を備え、内ケース２３の内方の空間に保冷室２が形成されている。内ケース２３の背面部２３ａには、前後に延びるブラケット２４，２４，２４の後端が取付けられ、該ブラケット２４，２４，２４には上方から棚板２５，２５，２５（陳列棚）が取付けられている。これにより、保冷室２において、棚板２５，２５，２５及び内ケース２３の底部２３ｂに設けられる底板２３ｃの上面にそれぞれ商品が陳列可能になっている。
【００２１】
尚、棚板２５，２５，２５の前端には、左右方向に延びるレール部材２９，２９，２９が設けられており、レール部材２９，２９，２９には、例えば商品名、値段等の商品情報が記載されたプライスカードを任意の位置に取付け可能となっている。また、レール部材２９，２９，２９には、客に対する商品の訴求力を高めるために販売促進用のＰＯＰ７０，７０等が任意の位置に取付け可能となっている。尚、本実施例において、ＰＯＰ７０，７０は、最上段の棚板２５の前端よりも前方側に張り出すように取付けられるものとする。
【００２２】
また、ケース本体２１の背面側及び底面側には、外ケース２２と内ケース２３との間に冷気循環通路２６が形成され、この冷気循環通路２６の下部３１には蒸発器４１と、該蒸発器４１に向けて空気を送る送風機４２とが配設されている。尚、蒸発器４１は、冷媒を利用した冷凍サイクルにより熱交換を行い、その周囲の空気を冷却できるようになっている。
【００２３】
また、冷気循環通路２６の下部３１の底面を構成する外ケース２２の底部２２ａには、前方の所定位置に排水部３１ａが設けられている。さらに、排水部３１ａは、図示しない排水処理部に配水管により連結されている。尚、外ケース２２の底部２２ａは、排水部３１ａに向けて下方に傾斜した形状を成しており、冷却に伴って蒸発器４１に付着する霜を除霜した際等に生じる水が傾斜に沿って排水部３１ａまで流れやすくなっている。
【００２４】
また、ケース本体２１の上部２１ａの前端下縁には、冷気循環通路２６に連通する冷気の吹出口２７が下向きに形成され、ケース本体２１の下部２１ｂの前端上縁には、上方に開口して冷気循環通路２６の下部３１に連通する冷気の吸込口２８が形成されている。尚、吸込口２８には、複数のスリットや孔が設けられる吸込口カバー７１が取付けられている。
【００２５】
オープンショーケース１は、冷気循環通路２６内の送風機４２を作動させることにより、蒸発器４１により冷却された冷気が、上方の吹出口２７から下方の吸込口２８に向けて吹き出されるようになっている。尚、ケース本体２１の下部２１ｂは、ケース本体２１の上部２１ａよりも前方に延びているため、上方の吹出口２７から下方の吸込口２８に向けて斜め前方に吹き出されるようになっている。
【００２６】
これによれば、ケース本体２１の前面の開放面に冷気の気流によりエアカーテンが形成されるとともに、その冷気の一部が保冷室２内に流入することにより、保冷室２内が冷却された状態を維持できるようになっている。また、吸込口２８から吸い込まれた冷気は、冷気循環通路２６内に流入して、送風機４２により再び蒸発器４１に送られることにより、冷気が効率的に循環するようになっている。
【００２７】
尚、ケース本体２１の下部２１ｂの前端における前後中央部（吸込口２８の前方）の上縁には、左右方向に延びる板部材４が立設されており、この板部材４により吹出口２７から吹き出された冷気の一部が吸込口２８に案内されるため、ケース本体２１の前面からの冷気の流出が抑制されている。さらに尚、ケース本体２１の左右側部には側板２０，２０（図１参照）が設置されており、ケース本体２１の左右側部からの冷気の流出が抑制され、保冷室２内の冷却効率が高められている。
【００２８】
次いで、オープンショーケース１に設けられるナイトカバー５０について説明する。図１ないし図４に示されるように、ケース本体２１の下部２１ｂの前端上縁における前面側（板部材４の前面側）には、自動巻き取り式のナイトカバー５０が設置されている。詳しくは、図２及び図３に示されるように、ケース本体２１の下部２１ｂの前端における前面側（板部材４の前方）の上縁には、金属板から構成され前方斜め下方に突出した形状を成すフロントカバー２１ｃが左右方向に亘って設けられており、ナイトカバー５０は、このフロントカバー２１ｃの上面に固定される保護フェンス５７にビス止めされることにより略水平な状態で設置されている。
【００２９】
図４（ｂ）に示されるように、保護フェンス５７は、金属製の線状部材から成り、フロントカバー２１ｃの上部に対して前面側から左右２箇所において各３箇所でネジ止めされることにより固定されている。また、保護フェンス５７は、ナイトカバー５０を左右方向に亘って前面側から覆うように上方に立ち上がることにより、保冷室２から出し入れされる商品等がナイトカバー５０に対して直接接触し難くなっている。また、保護フェンス５７は、背面側が板部材４との間で左右方向に亘って上方に開放しているため、ナイトカバー５０を構成するシート部材５２の設置・収納の作業を行いやすくなっている（図２及び図３参照）。
【００３０】
図４（ａ）及び図４（ｃ）に示されるように、ナイトカバー５０は、ケース本体２１の下部２１ｂに沿って左右方向に延びるブラケット５４と、ブラケット５４に回転可能に軸支される芯材５１と、芯材５１に一辺が固定された状態で巻き付けられるシート部材５２（ナイトカバー）と、から主に構成されている。尚、ブラケット５４及び芯材５１は、シート部材５２を収容する収納部として機能している。また、説明の便宜上、図４（ａ）及び図４（ｃ）におけるナイトカバー５０は、保護フェンス５７から取外された状態のものを図示している。
【００３１】
詳しくは、芯材５１は、ブラケット５４の左右両端から立設する立上片５４ａ，５４ａ間に回転可能に軸支されており、シート部材５２を巻き取る方向に図示しない巻きバネにより付勢されているため、シート部材５２が張り渡された状態が保持され、撓みが抑えられている。
【００３２】
シート部材５２は、例えば、気密性の高い合成樹脂により構成されており、芯材５１から上方向に引き出すことが可能となっている。シート部材５２の他辺（上端部）は、左右方向に沿って延びる合成樹脂製のフレーム部材５３が固定されることで補強されており、シート部材５２が張られた状態、つまり面形状が保持された状態で上方向に引き出すことが可能となっている。また、フレーム部材５３の左右略中央には正面視略コ字状の把手５５の両端が回動可能に軸支されており、該把手５５を把持することによりシート部材５２の引き出し動作を行いやすくなっている。尚、詳細は後述するが、シート部材５２は、後述する係止部材６０に係止されることで、シート部材５２が上方に引き出された状態を保持できるようになっている。
【００３３】
すなわち、ナイトカバー５０は、シート部材５２がケース本体２１の前面を覆わず芯材５１に巻き取られた収納状態（図２参照）と、シート部材５２がケース本体２１の前面下部を覆う設置状態（図３参照）と、に変更可能となっている。これによれば、店舗の営業時間には、ナイトカバー５０を収納状態とすることでケース本体２１の前面から商品の出し入れを阻害することがなく、夜間等の店舗の非営業時間には、ナイトカバー５０を設置状態とすることでシート部材５２によりケース本体２１から冷気（主にケース本体２１の下部２１ｂに滞留する冷気）が外部に漏れ出すことを抑えられるため、保冷室２内の冷却効率を向上させることができる。
【００３４】
図１に示されるように、係止部材６０は、金属製の線状部材を折曲加工することにより構成されており、先端側には正面視上向きコ字状を成す係止部６１が溶接固定されている（図３の拡大部参照）。また、係止部材６０は、吸込口２８に取付けられる吸込口カバー７１の上面の一部に設けられる回動機構８０（図５参照）によりケース本体２１の下部２１ｂの前端（板部材４の後面側）に沿って左右方向を向く収納位置（図５（ａ）参照）と、ケース本体２１の下部２１ｂの前端から略垂直に立設して上下方向を向く立設位置（図５（ｃ）参照）と、に回動動作可能となっている。尚、図１に示されるように、回動機構８０は、オープンショーケース１の左右略中央に設けられている。また、係止部材６０は、ブラケット５４に設けられる図示しない係止部材６０の前後寸法と略同一寸法に構成される上向きコ字状の保持部材により前後方向への移動を規制された状態で保持されるため、芯材５１に巻き取られたシート部材５２に干渉しない。
【００３５】
次いで、回動機構８０の構造について図５を用いて説明する。尚、図５（ａ）〜（ｃ）は、回動機構８０の背面側（保冷室２側）から見た背面図であり、図５（ｄ）は、図５（ｃ）の状態における回動機構８０の側面図である。
【００３６】
図５に示されるように、回動機構８０は、吸込口２８に取付けられる吸込口カバー７１の上面の左右略中央部に固定される側面視Ｌ字状のブラケット８１と、ブラケット８１に対して回動可能に取付けられる回動部材８２（基部）と、を備えている。ブラケット８１の上端縁には、下方に凹む略円弧状の凹部８１ａが切欠かれて形成されている。回動部材８２は、一端に長孔８２ａが形成されており、他端には係止部材６０が固着されている。また、回動部材８２の長手方向中央部近傍には、背面側（ブラケット８１側）に向けて突出する嵌合部材８４が固定されている。詳しくは、嵌合部材８４は、樹脂製で円筒状を成し、周面に亘って溝部８４ｃ（図５（ｄ）参照）が形成され、回動部材８２に形成される図示しないネジ孔を介して前面側から挿通される固定ボルト８４ａとナット８４ｂにより回動部材８２の背面側に挟み込まれた状態で締め付けられることで固定されている。
【００３７】
また、ブラケット８１と回動部材８２は、回動部材８２に形成される長孔８２ａを介して前面側から挿通される連結ボルト８３ａがブラケット８１の下端部に設けられる図示しないネジ孔を介してブラケット８１の背面側でナット８３ｂにより締め付けられて連結されている。尚、連結ボルト８３ａには、ブラケット８１と回動部材８２の間、ブラケット８１とナット８３ｂの間にそれぞれ樹脂製のワッシャ８３，８３が挿通された状態で挟み込まれることにより、ブラケット８１に対して回動部材８２が連結ボルト８３ａを軸に左右方向に滑らかに回動可能となっている。
【００３８】
次いで、係止部材６０を収納位置から立設位置に変更する際の操作手順について説明する。尚、ここでは、図５を用いて回動機構８０の背面側（保冷室２側）から見た状態における左右方向を基準に説明する。
【００３９】
図５（ａ）に示されるように、係止部材６０が収納位置にあるときには、回動部材８２が右側に傾倒している。このように、非使用時において回動部材８２を右方向に回動させて係止部材６０を横倒しにすることにより、係止部材６０を吸込口２８の近傍に収納することができる。そのため、保冷室２内の商品の出し入れ時に係止部材６０が邪魔になることがないばかりか、係止部材６０を収納位置に回動動作させる際に保冷室２内に陳列される商品に接触することがない。
【００４０】
係止部材６０を収納位置から立設位置に変更する際には、図５（ｂ）に示されるように係止部材６０を左側へ略９０度回動させる。このとき、長孔８２ａの下端に連結ボルト８３ａが接触するように係止部材６０を上方へ引き上げることにより、嵌合部材８４をブラケット８１に接触させることなく回動させることができる。その後、図５（ｃ）に示されるように、長孔８２ａの上端に連結ボルト８３ａが接触するように係止部材６０を下方に押し下げることにより、嵌合部材８４の溝部８４ｃをブラケット８１の凹部８１ａに嵌合させる。これにより、係止部材６０の左右方向への回動が規制され、係止部材６０が立設位置で保持される。
【００４１】
図３に示されるように、立設位置の係止部材６０の係止部６１には、フレーム部材５３の左右方向略中央部に固定されたフック部材５６が係止される。これにより、シート部材５２が上方に引き出された状態（ナイトカバー５０の設置状態）が保持される。このように、係止部材６０は、略垂直方向を向いた状態（立設位置）でシート部材５２を保持できるため、シート部材５２の荷重が係止部材６０を略延伸方向に圧縮する方向にかかることとなる。そのため、係止部材６０に対して剛性を高める特別な加工等を施さなくても、シート部材５２の支持強度を高めることができる。また、前述したように、係止部材６０は、立設位置において回動部材８２に固定される嵌合部材８４の溝部８４ｃがブラケット８１の凹部８１ａに嵌合されることにより、回動部材８２（係止部材６０）の前後方向への揺動が規制されているため、係止部材６０はシート部材５２を保持した状態で立設位置を安定して維持することができる。
【００４２】
図３に示されるように、ケース本体２１の上部２１ａの前面には、保冷室２内を照らすための照明器具等を取付けるためのキャノピ６が設けられている。係止部材６０は、ケース本体２１の下部２１ｂから略垂直に立設するため、係止部材６０の係止部６１とキャノピ６の前端とは、距離Ｌ１分前後方向に離間している。
【００４３】
これによれば、係止部材６０の係止部６１とキャノピ６の前端とが距離Ｌ１分前後方向に離間しており、係止部材６０の係止部６１に係止されるシート部材５２がキャノピ６の前端よりも内側に配置されないため、シート部材５２を操作するときに、最上段の棚板２５に陳列される商品や最上段の棚板２５の前端よりも前方側に張り出すＰＯＰ７０，７０にシート部材５２が接触しないように間隔が確保される。そのため、シート部材５２との接触を避けるために商品やＰＯＰ７０，７０の配置等を調整する必要がなく、シート部材５２の設置・収納の作業性を高めることができる。
【００４４】
また、シート部材５２がエアカーテンから前後方向に離間することとなるため、シート部材５２が保冷室２側に撓んだ場合であっても、エアカーテンの流れに干渉し難くなっている。
【００４５】
また、ナイトカバー５０は、ケース本体２１の下部２１ｂの前端（板部材４の前面側）に配設されているとともに、ケース本体２１の下部２１ｂの前端（板部材４の後面側）から略垂直に立設する係止部材６０の係止部６１に係止されるため、ケース本体２１の前面に近い位置でシート部材５２を略垂直に上方に引き上げるといった簡便な作業でナイトカバー５０を設置状態とすることができる。
【００４６】
さらに、シート部材５２は、キャノピ６の前端から距離Ｌ１分前後方向に離間した位置、つまり、ケース本体２１の前面に近い位置でフック部材５６を係止部材６０の係止部６１に係脱させることができる。このように、キャノピ６の前端とシート部材５２の上端との間が距離Ｌ１分離間することにより形成される空間を利用してシート部材５２の係脱作業を行いやすくすることができる。具体的には、シート部材５２を操作する際に手がキャノピ６や最上段の棚板２５の前端等に接触することがないため、シート部材５２の設置・収納の作業性をより高めることができる。
【００４７】
尚、キャノピ６の前端から距離Ｌ１分前方に離間した位置で引き上げられたシート部材５２の上端が保持されるため、ケース本体２１の前面上部は、上方に開放されることとなるが、エアカーテンを構成する冷気は主に下方側の吸込口２８近傍に滞留するため、ケース本体２１の前面上部の開放部分から冷気が流出することはほとんどない。
【００４８】
また、オープンショーケース１の奥行きや高さが異なる場合であっても、同一のナイトカバー５０を使用することができる。
【００４９】
尚、図示しないが、オープンショーケースの左右幅が大きい場合には、ナイトカバー５０及び係止部材６０を左右方向に複数並設することがある。この場合であっても、前述したようにシート部材５２は上方に向けて略垂直に引き上げられた状態となるため、例えば前後に傾斜するように引き上げられるシート部材に比べて隣接するシート部材５２，５２の側端部同士の位置合わせを行いやすい。言い換えれば、隣接するシート部材５２，５２間で前後にずれが生じ難いため、隣接するシート部材５２，５２のずれた部分から冷気の漏れ出しを抑制することができる。
【００５０】
また、オープンショーケースの変形例として次のようなものもある。図６に示されるように、オープンショーケース１００は、ケース本体１２１の前面と左右両側面が開放されており、該ケース本体１２１の下部１２１ｂの前端及び左右両側端にはそれぞれナイトカバー５０，５０’が設置されている。尚、説明の便宜上、ケース本体１２１の前面に配置されるナイトカバーをナイトカバー５０とし、ケース本体１２１の右側面に配置されるナイトカバーをナイトカバー５０’として説明し、ケース本体１２１の左側面に配置されるナイトカバーの図示を省略する。
【００５１】
前述したように、ナイトカバー５０，５０’は、シート部材５２，５２’が上方に向けて略垂直に引き上げられる構成となっているため、ナイトカバー５０のシート部材５２とナイトカバー５０’のシート部材５２’との隣接する側端部同士を近接させて配置することができる。
【００５２】
具体的には、例えば、ナイトカバー５０，５０’の設置状態においてナイトカバー５０のシート部材５２が後方側に傾斜し、ナイトカバー５０’のシート部材５２’が左方側に傾斜するような場合、シート部材５２，５２’の引き上げ作業時に隣接する側端部同士が接触しないようにシート部材５２，５２’同士を所定距離離間させる必要がある。この場合、シート部材５２，５２’間の隙間が大きくなって、該隙間から冷気が漏れ出す虞があった。
【００５３】
しかしながら、本変形例のオープンショーケース１００は、シート部材５２，５２’が上方に向けて略垂直に引き上げられるため、シート部材５２，５２’の引き上げ作業時に隣接する側端部同士が接触することがなく、シート部材５２の設置・収納の作業性が高い。さらに、ナイトカバー５０のシート部材５２とナイトカバー５０’のシート部材５２’との隣接する側端部同士を近接させることができ、別途シート部材等を用いることなく、シート部材５２，５２’間の隙間から冷気が漏れ出し難くすることができる。
【実施例２】
【００５４】
次に、実施例２に係るオープンショーケースにつき、図７から図１０を参照して説明する。尚、前記実施例と同一構成で重複する構成の説明を省略する。
【００５５】
図７に示されるように、実施例２におけるオープンショーケース２００は、係止部材２６０がナイトカバー５０のフレーム部材５３の左右略中央部に対して上端部が回動可能に軸支されている。
【００５６】
詳しくは、図８及び図９（ａ）に示されるように、係止部材２６０は、金属製の線状部材を折曲加工することにより構成されており、立設位置における上端側には、ナイトカバー５０のフレーム部材５３に対して回動可能に取付けられる板状の回動部材２８２が溶接固定され、下端側（先端側）には正面視下向き略コ字状を成す係止部２６１が溶接固定されている（図９（ｂ）参照）。また、係止部材２６０の下端側には、背面側に磁石２６３が取付けられる板状のマグネットキャッチ２６２が所定位置に溶接固定されている。尚、ここでいう所定位置とは、係止部材２６０の立設位置において、板部材４の上端部に左右方向に亘って設けられる断面視下向きコ字状の金属製のカバー部材５（図８参照）と磁石２６３とが前後方向に重畳する位置のことである。
【００５７】
また、係止部材２６０の上端側に固定される回動部材２８２には、筒状の固定部材２８１（図９（ｂ）参照）が挿通されており、図示しないネジによりナイトカバー５０のフレーム部材５３に対して背面側（保冷室２側）から回動部材２８２と一体に軸支されている。尚、固定部材２８１は、前後方向に厚みを有しており、シート部材５２及びフレーム部材５３に対して係止部材２６０を前後方向に離間させた状態で軸支することができるため、シート部材５２及びフレーム部材５３に係止部材２６０が接触し難くなり、係止部材２６０の回動操作を行いやすくなっている。
【００５８】
また、係止部材２６０の非使用時、すなわちナイトカバー５０の収納状態においては、回動部材２８２を回動させて係止部材２６０をフレーム部材５３に沿って配置させた状態（図１０（ａ）参照）で、ナイトカバー５０のブラケット５４上に収納できるようになっている。このとき、係止部材２６０は、ブラケット５４に設けられる図示しない係止部材２６０の前後寸法と略同一寸法に構成される上向きコ字状の保持部材により前後方向への移動を規制された状態で保持されるため、芯材５１に巻き取られたシート部材５２に干渉しない。
【００５９】
次いで、係止部材２６０を収納位置から立設位置に変更する際の操作手順について説明する。尚、ここでは、図１０を用いて、係止部材２６０を正面側から見た状態における左右方向を基準に説明する。
【００６０】
先ず、図１０（ａ）に示されるように、収納状態のナイトカバー５０からシート部材５２を上方へ引き上げる。このとき、係止部材２６０が回動して係止部２６１がナイトカバー５０のブラケット５４等に接触しないように、係止部材２６０をナイトカバー５０のフレーム部材５３に沿って配置させた状態を保持して同時に上方へ引き上げることが好ましい。
【００６１】
次に、図１０（ｂ）に示されるように係止部材２６０を右側へ略９０度回動させる。このとき、係止部２６１がブラケット５４に接触しないように上下方向に離間する高さ位置まで係止部材２６０を上方へ引き上げることが好ましい。その後、図１０（ｃ）に示されるように、係止部材２６０を下方に押し下げることにより、ブラケット５４に設けられる係止孔５４ｂ，５４ｂに係止部２６１の先端を挿入することにより係止させる。これにより、係止部材２６０の左右方向への回動が規制され、係止部材２６０が立設位置で保持される。さらに、係止部材２６０の下端部に設けられるマグネットキャッチ２６２の磁石２６３を板部材４の上端に設けられるカバー部材５に磁気吸着させることにより、係止部材２６０の前後方向への移動が規制され、係止部材２６０が立設位置でより安定して保持される。
【００６２】
これによれば、ナイトカバー５０を収納状態から設置状態に変更するための操作と、係止部材２６０を収納位置から立設位置に変更するための操作とを一括で行うことができるため、作業性を高めることができる。
【００６３】
また、係止部材２６０の立設位置にあっては、係止部材２６０の上端部とキャノピ６の前端とが距離Ｌ２０１分前後方向に離間している。これによれば、シート部材５２を操作するときに、最上段の棚板２５に陳列される商品や最上段の棚板２５の前端よりも前方側に張り出すＰＯＰ７０，７０にシート部材５２が接触しないように間隔が確保されるため、シート部材５２との接触を避けるために商品やＰＯＰ７０，７０の配置等を調整する必要がなく、シート部材５２の設置・収納の作業性を高めることができる。
【実施例３】
【００６４】
次に、実施例３に係るオープンショーケースにつき、図１１及び図１２を参照して説明する。尚、前記実施例と同一構成で重複する構成の説明を省略する。
【００６５】
図１１及び図１２に示されるように、実施例３におけるオープンショーケース３００は、係止部材３６０がケース本体２１の上部２１ａの前端から前後方向にスライド可能に設けられている。係止部材３６０の先端は、シート部材５２の上端に取付けられたフック部材５６が係止される係止部となっており、係止部材３６０の先端が前方へ進出した状態においてシート部材５２が係止されるようになっている。
【００６６】
すなわち、係止部材３６０は、ケース本体２１の上部２１ａの前端から前方へ進出した進出位置（図１１及び図１２参照）と、ケース本体２１の上部２１ａ側に退避する収納位置（図視略）と、にスライド可能となっている。このように、非使用時において係止部材３６０を収納位置に退避させることにより保冷室２内の商品の出し入れ時に係止部材３６０が邪魔になることがないばかりか、係止部材３６０を収納時に保冷室２内に陳列された商品に接触することがない。
【００６７】
また、係止部材３６０の先端が前方へ進出した状態にあっては、係止部材３６０の先端とキャノピ６の前端とが距離Ｌ３０１分前後方向に離間している。これによれば、シート部材５２を操作するときに、最上段の棚板２５に陳列される商品や最上段の棚板２５の前端よりも前方側に張り出すＰＯＰ７０，７０にシート部材５２が接触しないように間隔が確保されるため、シート部材５２との接触を避けるために商品やＰＯＰ７０，７０の配置等を調整する必要がなく、シート部材５２の設置・収納の作業性を高めることができる。
【００６８】
尚、図示しないが、係止部材３６０の先端が前方へ進出した状態にあっては、ストッパ部等により係止部材３６０の前方へ進出が規制されているため、ケース本体２１の上部２１ａから係止部材３６０が離脱することが防止されている。
【００６９】
以上、本発明の実施例を図面により説明してきたが、具体的な構成はこれら実施例に限られるものではなく、本発明の要旨を逸脱しない範囲における変更や追加があっても本発明に含まれる。
【００７０】
前記実施例では、シート部材５２を保持するための係止部が距離Ｌ１，Ｌ２０１，Ｌ３０１分キャノピ６（ケース本体２１の上部２１ａの前端）よりも前後方向に離間して配置されていたが、係止部はケース本体２１の上部２１ａの前端から離間していれば、距離Ｌ１，Ｌ２０１，Ｌ３０１は、自由に設定されてよい。尚、作業性向上の観点からは、少なくともキャノピ６の前端とシート部材５２の上端との間に手を挿入できる空間が形成されることが好ましい。
【００７１】
また、前記実施例では、シート部材５２が略垂直に引き上げられて保持される形態を例示したが、これに限定されるものでなく、キャノピ６の内側にシート部材５２が入り込まなければ、前後に傾斜した状態で引き上げられて保持されてもよい。
【００７２】
また、実施例２で説明した金属製のカバー部材と磁石とを実施例１、３に設ける形態としてもよい。
【符号の説明】
【００７３】
１                オープンショーケース
２                保冷室
２１              ケース本体
２２              外ケース
２３              内ケース
２５              棚板（陳列棚）
２６              冷気循環通路
２７              吹出口
２８              吸込口
５０，５０’      ナイトカバー
５１              芯材
５２，５２’      シート部材
５４              ブラケット
５６              フック部材
６０              係止部材
６１              係止部（保持部）
７０              ＰＯＰ
７１              吸込口カバー
８０              回動機構
８１              ブラケット
８２              回動部材（基部）
２６０            係止部材
３６０            係止部材
【図１】
2018117978.tif 000003
【図２】
2018117978.tif 000004
【図３】
2018117978.tif 000005
【図４】
2018117978.tif 000006
【図５】
2018117978.tif 000007
【図６】
2018117978.tif 000008
【図７】
2018117978.tif 000009
【図８】
2018117978.tif 000010
【図９】
2018117978.tif 000011
【図１０】
2018117978.tif 000012
【図１１】
2018117978.tif 000013
【図１２】
2018117978.tif 000014